【手続補正書】
【提出日】平成22年2月9日(2010.2.9)
【手続補正１】
【補正対象書類名】特許請求の範囲
【補正対象項目名】請求項１
【補正方法】変更
【補正の内容】
【請求項１】
店舗に設けられ、特定取引に使用可能な特定取引用価値を該特定取引に使用させるための特定取引処理を行う装置であって、該装置を個々に識別可能な装置識別情報と当該店舗が属するグループを個々に識別可能なグループ識別情報とが記憶されるとともに、外部と通信可能に接続された特定取引用装置と、
該店舗に予備として設けられる前記特定取引用装置であって、外部と通信可能に接続された予備特定取引用装置と、
店舗に設置され、当該店舗に設けられた前記特定取引用装置および前記予備特定取引用装置の装置識別情報と、当該店舗が属するグループのグループ識別情報とを管理する識別情報管理手段と、該識別情報管理手段により装置識別情報が管理されている特定取引用装置および予備特定取引用装置との接続状態を認識する接続状態認識手段と、を有する店舗内管理装置と、
複数店舗の前記店舗内管理装置と通信可能とされ、前記グループ識別情報に対応付けて当該グループ識別情報のグループに属する店舗を個々に識別可能な店舗識別情報を管理するとともに、該店舗識別情報に対応付けて当該店舗識別情報の店舗に設けられている前記特定取引用装置および前記予備特定取引用装置の装置識別情報と該店舗に設けられている前記特定取引用装置における売上を管理する管理手段と、該管理手段により管理しているグループに属する一の店舗の予備特定取引用装置が該グループに属する他の店舗に移動されるときに、当該他の店舗の店舗内管理装置に対して移動許可情報を送信する移動許可情報送信手段とを有する店舗外管理装置と、
を備え、
前記店舗内管理装置は、前記移動許可情報送信手段から移動許可情報を受信していないときには、前記特定取引用装置から受信した装置識別情報が前記識別情報管理手段にて管理されていることを条件として前記特定取引処理を許可すると判定する一方、前記移動許可情報を受信しているときには、前記特定取引用装置から受信した装置識別情報が前記識別情報管理手段にて管理されていなくても、該特定取引用装置から受信したグループ識別情報が前記識別情報管理手段にて管理されていることを条件として前記特定取引処理を許可すると判定する判定手段と、該判定手段により前記特定取引処理を許可すると判定されたことに基づいて当該判定の対象となった特定取引用装置に対して取引許可情報を送信する取引許可情報送信手段とを有し、
前記特定取引用装置は、前記取引許可情報を受信したことを条件として前記特定取引処理を行う
ことを特徴とする特定取引用システム。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
本発明は、このような問題点に着目してなされたもので、不具合（故障）が発生した際に、特定取引用装置が交換できずに特定取引が不能となることで、店舗の売上低下を招くことを極力回避することのできる特定取引用システムを提供することを目的とする。
【手続補正４】
【補正対象書類名】明細書
【補正対象項目名】０００８
【補正方法】変更
【補正の内容】
【０００８】
上記課題を解決するために、本発明の請求項１に記載の特定取引用システムは、
店舗に設けられ、特定取引に使用可能な特定取引用価値を該特定取引に使用させるための特定取引処理を行う装置であって、該装置を個々に識別可能な装置識別情報と当該店舗が属するグループを個々に識別可能なグループ識別情報とが記憶されるとともに、外部と通信可能に接続された特定取引用装置と、
該店舗に予備として設けられる前記特定取引用装置であって、外部と通信可能に接続された予備特定取引用装置と、
店舗に設置され、当該店舗に設けられた前記特定取引用装置および前記予備特定取引用装置の装置識別情報と、当該店舗が属するグループのグループ識別情報とを管理する識別情報管理手段と、該識別情報管理手段により装置識別情報が管理されている特定取引用装置および予備特定取引用装置との接続状態を認識する接続状態認識手段と、を有する店舗内管理装置と、
複数店舗の前記店舗内管理装置と通信可能とされ、前記グループ識別情報に対応付けて当該グループ識別情報のグループに属する店舗を個々に識別可能な店舗識別情報を管理するとともに、該店舗識別情報に対応付けて当該店舗識別情報の店舗に設けられている前記特定取引用装置および前記予備特定取引用装置の装置識別情報と該店舗に設けられている前記特定取引用装置における売上を管理する管理手段と、該管理手段により管理しているグループに属する一の店舗の予備特定取引用装置が該グループに属する他の店舗に移動されるときに、当該他の店舗の店舗内管理装置に対して移動許可情報を送信する移動許可情報送信手段とを有する店舗外管理装置と、
を備え、
前記店舗内管理装置は、前記移動許可情報送信手段から移動許可情報を受信していないときには、前記特定取引用装置から受信した装置識別情報が前記識別情報管理手段にて管理されていることを条件として前記特定取引処理を許可すると判定する一方、前記移動許可情報を受信しているときには、前記特定取引用装置から受信した装置識別情報が前記識別情報管理手段にて管理されていなくても、該特定取引用装置から受信したグループ識別情報が前記識別情報管理手段にて管理されていることを条件として前記特定取引処理を許可すると判定する判定手段と、該判定手段により前記特定取引処理を許可すると判定されたことに基づいて当該判定の対象となった特定取引用装置に対して取引許可情報を送信する取引許可情報送信手段とを有し、
前記特定取引用装置は、前記取引許可情報を受信したことを条件として前記特定取引処理を行う
ことを特徴としている。
この特徴によれば、同一のグループ内の店舗間に限って予備特定取引用装置を移動し、該移動した予備特定取引用装置における特定取引処理が許可されるので、一度に多数の特定取引用装置が不具合（故障）となって交換の必要が生じても、交換できる予備特定取引用装置が不足して店舗の売上低下を招くことを極力回避することができる。
【手続補正５】
【補正対象書類名】明細書
【補正対象項目名】０１２１
【補正方法】変更
【補正の内容】
【０１２１】
前記実施例における各要素は、本発明に対して以下のように対応している。
本発明の請求項１は、店舗（遊技場）に設けられ、特定取引（パチンコ玉の貸出）に使用可能な特定取引用価値（度数）を該特定取引に使用させるための特定取引処理（貸出処理）を行う装置であって、該装置を個々に識別可能な装置識別情報（装置ＩＤ）と当該店舗が属するグループを個々に識別可能なグループ識別情報（グループＩＤ）とが記憶されるとともに、外部（システムコントローラ１００）と通信可能に接続された特定取引用装置（カードユニット３）と、該店舗に予備として設けられる前記特定取引用装置であって、外部（システムコントローラ１００）と通信可能に接続された予備特定取引用装置（予備ストッカ２０内の予備のカードユニット３）と、店舗に設置され、当該店舗に設けられた前記特定取引用装置および前記予備特定取引用装置の装置識別情報と、当該店舗が属するグループのグループ識別情報とを管理する識別情報管理手段（記憶装置１０５；ＩＤ管理テーブル）と、該識別情報管理手段により装置識別情報が管理されている特定取引用装置および予備特定取引用装置との接続状態を認識する接続状態認識手段（記憶装置１０５；ユニット管理テーブル）と、を有する店舗内管理装置（システムコントローラ１００）と、複数店舗の前記店舗内管理装置と通信可能とされ、前記グループ識別情報に対応付けて当該グループ識別情報のグループに属する店舗を個々に識別可能な店舗識別情報（遊技場ＩＤ）を管理するとともに、該店舗識別情報に対応付けて当該店舗識別情報の店舗に設けられている前記特定取引用装置および前記予備特定取引用装置の装置識別情報と該店舗に設けられている前記特定取引用装置における売上を管理する管理手段（記憶装置１４５；グループ管理テーブル、遊技場別カードユニットテーブル）と、該管理手段により管理しているグループに属する一の店舗（移動元の遊技場）の予備特定取引用装置が該グループに属する他の店舗（移動先の遊技場）に移動されるときに、当該他の店舗の店舗内管理装置に対して移動許可情報を送信する移動許可情報送信手段（ＣＰＵ１４２；移動許可情報送信処理）とを有する店舗外管理装置（管理サーバ１４０）と、を備え、前記店舗内管理装置は、前記移動許可情報送信手段から移動許可情報を受信していないときには、前記特定取引用装置から受信した装置識別情報が前記識別情報管理手段にて管理されているこ
とを条件として前記特定取引処理を許可すると判定する一方、前記移動許可情報を受信しているときには、前記特定取引用装置から受信した装置識別情報が前記識別情報管理手段にて管理されていなくても、該特定取引用装置から受信したグループ識別情報が前記識別情報管理手段にて管理されていることを条件として前記特定取引処理を許可すると判定する判定手段（ＣＰＵ１０２；起動許可判定処理）と、該判定手段により前記特定取引処理を許可すると判定されたことに基づいて当該判定の対象となった特定取引用装置に対して取引許可情報を送信する取引許可情報送信手段（ＣＰＵ１０２；起動許可判定処理）とを有し、前記特定取引用装置は、前記取引許可情報を受信したことを条件として前記特定取引処理を行う。